(57)【要約】      （修正有）【課題】深い褥瘡で感染が心配される病状の褥瘡治療に適し、治療の祭に患者に負担がかからず、そのうえ処置をする介護者などが不便を感じることがない。【解決手段】少なくとも１つの支持体がポリエチレン不織布又はポリエチレンフィルムから成る２枚のシートによって挟み褥瘡治療用の軟膏が支持されてなることを特徴としている。【選択図】図１
0003116909.tif 000002
【実用新案登録請求の範囲】
【請求項１】
少なくとも１つの支持体に褥瘡治療用の軟膏が支持されてなる褥瘡治療具。
【請求項２】
前記支持体が、前記軟膏を狭持する２枚のシートからなる請求項１記載の褥瘡治療具。
【請求項３】
前記２枚のシートによって狭持された前記軟膏が密封包装されてなる請求項２記載の褥瘡治療具。
【請求項４】
前記２枚のシートがポリエチレン不織布またはポリエチレンフィルムである請求項２または３記載の褥瘡治療具。
【考案の詳細な説明】
【技術分野】
【０００１】
本考案は褥瘡治療具に関する。さらに詳しくは、深い褥瘡で感染が心配される病状の褥瘡治療に適用され得る褥瘡治療具に関する。
【背景技術】
【０００２】
褥瘡には、皮膚壊死が真皮までにとどまる浅い褥瘡と、皮下脂肪組織以下に及ぶ深い褥瘡とがある。浅い褥瘡は１〜２週間で治癒させることができるが、筋肉までにも壊死が及ぶような深い褥瘡では、治癒までに半年〜１年以上かかることもある。
【０００３】
深い褥瘡が治ってゆく過程は、褥瘡の創面の色に反映される。通常は、つぎの表に示すとおり、黒色期、黄色期、赤色期、白色期の順で褥瘡の病状が推移する。
【０００４】
【表１】
0003116909.tif 000003
【０００５】
褥瘡（床ずれ）による褥創部位の保護及び治癒促進、擦過部位の保護に好適な創傷保護用絆創膏を提供することを目的とした褥瘡治療具として、プラスチックフィルムからなる基材と、この基材の片面に設けられた弾性ポリマーを主成分とする疎水性粘着剤と、この疎水性粘着剤の上に設けられた親水性粘着材と、この親水性粘着材の上に貼着されかつ粘着面をカバーするように設けられた離型紙とを含むことを特徴とする創傷保護用絆創膏が知られている（例えば、特許文献１参照）。
【０００６】
一方、柔軟性、耐久性、ずれ緩和性、接触圧分散性に優れた褥瘡(床ずれ）予防・治療に有効な積層体および該積層体からなるクッション材を提供することを目的とした褥瘡治療具として、熱可塑性エラストマーより形成された少なくとも片面に複数の凸部を有するシート状構造体（Ａ）と、熱可塑性樹脂より形成された連続線状体のランダムなループ状またはカール状の隣接する線状体の相互を接触絡合してなる嵩密度が０．０１〜１．０ｇ／ｃｍ3の空隙を有する三次元構造体（Ｂ）とを、シート状構造体（Ａ）を構成する凸部が、三次元構造体（Ｂ）と接触するように積層してなる積層体および該積層体からなるクッション材が知られている（例えば、特許文献２参照）。
【０００７】
【特許文献１】特開２００３−３３９７６２号公報
【特許文献２】特開２００４−２１６０２６号公報
【考案の開示】
【考案が解決しようとする課題】
【０００８】
しかし、特許文献１および２に開示された褥瘡治療具は、膚壊死が真皮までにとどまる浅い褥瘡の治療に適したものであるが、深い褥瘡で感染が心配される病状の褥瘡治療に適していない。
【０００９】
また、褥瘡の治療薬であるポビドンシュガー製剤は、広口ビンやチューブに入った軟膏として販売されているが、その製剤の特徴として軟膏の硬さがやや硬く、ビンやチューブから必要量を取り出すことに労力が必要である。すなわち、少し練るとやや柔らかくなるが、しばらく置いておくと硬くなってしまうのである。また、処置をする介護者等には女性も多く、不便を感じることも多い。
【００１０】
さらに、ポビドンシュガー製剤を使用する褥瘡は、深く、大きな褥瘡であることが多いため、比較的多くの軟膏を患部に塗る必要があるが、軟膏自体がやや固めで塗りにくいため、軟膏を患部全体にまんべんなく塗ることは患者にとっても負担である（すなわち、硬い軟膏を塗るためには力を加えて塗る必要がある）。
【００１１】
本考案は、深い褥瘡で感染が心配される病状の褥瘡治療に適し、治療の際に患者に負担がかからず、そのうえ、処置をする介護者等が不便を感じることがない褥瘡治療具を提供することを目的とする。
【課題を解決するための手段】
【００１２】
本考案の褥瘡治療具は、少なくとも１つの支持体に褥瘡治療用の軟膏が支持されてなることを特徴としている。
【００１３】
また、前記支持体が、前記軟膏を狭持する２枚のシートから構成されていると、一方のシートを剥がすだけで簡単に軟膏を取り出すことができ、取り出した軟膏を患部にあてがい、他方のシートを剥がすだけで患部への軟膏の塗布が完了するので好ましい。
【００１４】
また、前記２枚のシートによって狭持された前記軟膏が密封包装されてなるようにすることもできる。
【００１５】
また、前記２枚のシートがポリエチレン不織布またはポリエチレンフィルムであると、シートが軟膏から剥がれやすいため、平板状に形成された軟膏のみを取り出すことができるので、好ましい。
【考案の効果】
【００１６】
本考案によれば、軟膏の取出しが簡単であり、かつガーゼや患部に塗り広げる手間が省ける褥瘡治療具を提供することができる。
【考案を実施するための最良の形態】
【００１７】
実施の形態１
本考案の褥瘡治療具を添付図面を参照しながら以下に詳細に説明する。
【００１８】
図１は本考案の褥瘡治療具の一例を示す分解斜視図、図２は参考例にかかわる褥瘡治療用軟膏の容器の一例を示す断面説明図、図３は参考例にかかわる褥瘡治療用軟膏の容器の他の例を示す斜視図、図４は参考例にかかわる褥瘡治療用軟膏の容器のさらに他の例を示す斜視図、図５は参考例にかかわる褥瘡治療用軟膏の容器のさらに他の例を示す斜視図である。
【００１９】
本考案の褥瘡治療具１は、少なくとも１つの支持体に褥瘡用の軟膏が支持されている。
【００２０】
図１（ａ）および（ｂ）に示されているように、本実施の形態においては、支持体が、褥瘡治療用の平板状の軟膏４を狭持する２枚のシート２、３から構成されている。このため、２枚のシート２、３のうち、一方のシートを剥がすだけで簡単に褥瘡用の軟膏４を取り出すことができ、取り出した軟膏を患部にあてがい、他方のシートを剥がすだけで患部への軟膏の施用を完了することができる。
【００２１】
図１（ａ）に示された褥瘡治療具１の場合、平板状の軟膏４は、一辺の長さがたとえば１〜１５ｃｍの長さと約０．０１〜５ｍｍの厚さの平板状の形態であるので、褥瘡の大きさが大きくても１枚の平板状の軟膏４で患部を覆うことも可能であり、また複数枚の平板状の軟膏４を組み合わせて患部を覆うことも可能である。しかし、軟膏４はかかる形態に限られることなく傷バンドに適用されるような帯状の形態や、図１（ｂ）に示されるような、たとえば直径が１〜１５ｃｍの大きさの円形のもの、楕円状や長円状のもののほか、これらの２種以上を組み合わせた形態であってもよい。
【００２２】
本実施の形態の場合、２枚のシート２、３の材質としては、ロウ紙や、油紙、樹脂をコーティングした紙、エンボス処理をしたフィルムを用いることができる。シート２、３の大きさとしては、とくに制限はないが、たとえば、正方形のシートの場合（１〜１５ｃｍ）×（１〜１５ｃｍ）の範囲が好ましい。一方、円形のシートの場合、直径は１〜１５ｃｍの範囲が好ましい。
【００２３】
褥瘡治療用の軟膏としては、ポビドンシュガー軟膏（白糖とポビドンヨードとを混ぜ合わせた軟膏）が好適に用いられる。そして、平板状の軟膏４の厚さは、前述のようにたとえば０．０１〜５ｍｍの範囲が好ましい。
【００２４】
２枚のシート２、３によって狭持された平板状の軟膏４は、アルミニウムフィルムなどで密封包装されるようにすることもできる。このようにすると、使用時に２枚のシート２、３によって狭持された平板状の軟膏４を取り出せばよいので、汚染を防止することができるので好ましい。
【００２５】
また、２枚のシート２、３がポリエチレン不織布またはポリエチレンフィルムであると、シート２、３が平板状の軟膏４から剥がれやすいという利点がある。
【００２６】
つぎに、参考例にかかわる褥瘡治療用の軟膏が収容される容器を説明する。
【００２７】
参考例
図２を参照すると、容器１０は閉じられた内部空間を有しており、内部空間内に褥瘡治療用の軟膏４が収容される。容器１０の材質としては、たとえばアルミニウムフィルムが用いられる。
【００２８】
容器１０の直径Ｄは５〜２０ｍｍ程度であり、長さＬは２０〜１００ｍｍ程度である。図２の容器の場合、容器１０内に一回使用分程度の軟膏４を充填しておけば、必要なときに、軟膏４搾り出せばよい。患部の大きさに応じて使用する容器の本数を決めればよい。
【００２９】
図３を参照すると、図２の容器１０の変形例が示されている。図３（ａ）に示された容器１０は、細長いチューブ状のフィルムからなり、このチューブ状の容器１０内に褥瘡治療用の軟膏４が収容される。図３（ａ）の容器１０の場合、容器１０の長さ方向に接着されたテープ１１の自由端を摘んで引っ張って剥がせばチューブ状の容器１０が破れ、容器１０内から筒状の軟膏４を取り出せるので、褥瘡の形状に合わせて筒状のまま患部に軟膏４を詰め込む。図３（ｂ）の容器は、テープ１１が円周状に設けられているが、作用効果は図３の（ａ）と同じである。
【００３０】
図４を参照すると、カップ状の容器１０に褥瘡治療用の軟膏４が充填されている。容器に１０には蓋１２が設けられており、必要なときに、蓋１２を剥がして軟膏４を押し出して使用する。容器１０の材質としては、たとえばＰＰ（ポリプロピレン）などの合成樹脂を採用することができ、蓋１２の材料としては、たとえばアルミニウムフィルムを採用することができる。また、容器１０内に充填される軟膏４の直径は１５〜１００ｍｍ程度であり、厚さＴは５〜２０ｍｍ程度が好ましい。このように容器１０が構成されていると、容器１０内に一回分の軟膏４が充填されることになり、蓋１２を剥がして軟膏４を押し出して使用することができる。
【００３１】
つぎに、図５を参照すると、複数の容器１０から構成されており、個々の容器１０の開口部１０ａにはフランジ部１０ｆが形成されている。そして、容器１０には、たとえばアルミニウムフィルムからなる蓋１２が設けられている。
【００３２】
複数の容器１０はフランジ部１０ｆを介して互いに接続されている（図では９個の容器が接続されている）。隣り合う容器１０間のフランジ部１０ｆは図示されているようにミシン線１３を刻設しているので分離しやすいという利点がある。しかし、分離を容易にすることはフランジ部１０ｆを薄肉にすることによっても達成される。このように、複数の容器１０が分離可能に接続されていると、数日分にわたって使用する容器１０をセットで提供できるという利点がある。
【図面の簡単な説明】
【００３３】
【図１】本考案の褥瘡治療具の一例を示す分解斜視図である
【図２】参考例にかかわる褥瘡治療用軟膏の容器の一例を示す断面説明図である。
【図３】参考例にかかわる褥瘡治療用軟膏の容器の他の例を示す斜視図である。
【図４】参考例にかかわる褥瘡治療用軟膏の容器のさらに他の例を示す斜視図である。
【図５】参考例にかかわる褥瘡治療用軟膏の容器のさらに他の例を示す斜視図である。
【符号の説明】
【００３４】
１      褥瘡治療具
２、３  シート（支持体）
４      軟膏
１０      容器
１１      テープ
１２      蓋
【図１】
0003116909.tif 000004
【図２】
0003116909.tif 000005
【図３】
0003116909.tif 000006
【図４】
0003116909.tif 000007
【図５】
0003116909.tif 000008